(57)【要約】【課題】複数枚の医用画像の中から所望の部位が撮影された医用画像のみを効率良く転送する。【解決手段】データセンタのストレージユニットには、複数枚の断層画像（医用画像）からなるボリュームデータが保管されている。各断層画像のタグ領域には、各断層画像に撮影された部位を示す部位情報が記録されている。データセンタのデータサーバは、医療施設から送信された転送要求に応じてストレージユニットからボリュームデータを読み出す。ボリュームデータを読み出したデータサーバは、部位情報が示す部位と転送要求で指定された部位とが一致する各断層画像をボリュームデータの中から抽出する。各断層画像を抽出したデータサーバは、要求元の医療施設に抽出した各断層画像を転送する。【選択図】図５
2008036262.tif 000002
【特許請求の範囲】
【請求項１】
複数枚の医用画像からなる画像群の中から医師の所望する部位が撮影された前記医用画像のみを転送する画像転送方法において、
前記各医用画像に撮影された部位を認識する認識ステップと、
前記認識ステップの認識結果に基いて前記各医用画像にどの部位が撮影されているかを示す部位情報を作成する部位情報作成ステップと、
前記部位情報が示す部位と医師の所望する部位とが一致する前記医用画像を前記画像群の中から抽出する抽出ステップと、
抽出した前記医用画像を指定された転送先に転送する転送ステップとを有することを特徴とする画像転送方法。
【請求項２】
前記画像群と前記部位情報とを記憶手段に保管する保管ステップと、
前記転送先への転送が指示されたことに応じて前記記憶手段から前記画像群と前記部位情報とを読み出す読み出しステップとを、前記部位情報作成ステップと前記抽出ステップとの間に設けたことを特徴とする請求項１記載の画像転送方法。
【請求項３】
前記画像群を記憶手段に保管する保管ステップと、
前記転送先への転送が指示されたことに応じて前記記憶手段から前記画像群を読み出す読み出しステップとを、前記認識ステップの前に設けたことを特徴とする請求項１記載の画像転送方法。
【請求項４】
前記転送ステップは、前記抽出ステップによって抽出された前記医用画像を転送した後、前記画像群の残りの前記医用画像を転送することを特徴とする請求項１から３のいずれか１項に記載の画像転送方法。
【請求項５】
前記抽出ステップによって抽出された前記医用画像を記憶手段に保管する保管ステップと、
前記転送先への転送が指示されたことに応じて前記記憶手段から抽出された前記医用画像を読み出す読み出しステップとを、前記抽出ステップと前記転送ステップとの間に設けたことを特徴とする請求項１記載の画像転送方法。
【請求項６】
医師の所望する部位は、前記転送先への転送の指示と同時に入力されることを特徴とする請求項１から４のいずれか１項に記載の画像転送方法。
【請求項７】
医師の所望する部位は、前記画像群の撮影の際にオーダ情報として入力された検査部位であることを特徴とする請求項１から５のいずれか１項に記載の画像転送方法。
【請求項８】
前記認識ステップは、前記各医用画像の画像解析を行うことによって、前記各医用画像に撮影された部位を自動で認識することを特徴とする請求項１から６のいずれか１項に記載の画像転送方法。
【請求項９】
前記部位情報作成ステップは、前記医用画像毎に前記部位情報を作成し、作成した前記部位情報をメタデータとして対応する前記医用画像に記録することを特徴とする請求項１から８のいずれか１項に記載の画像転送方法。
【請求項１０】
前記部位には、頭部、胸部、腹部、骨盤部、脚部などが含まれるとともに、脳、心臓、肺、肝臓、胃などの臓器が含まれることを特徴とする請求項１から９のいずれか１項に記載の画像転送方法。
【請求項１１】
複数枚の医用画像からなる画像群の中から医師の所望する部位が撮影された前記医用画像のみを転送する画像転送装置において、
前記各医用画像の画像解析を行うことによって前記各医用画像に撮影された部位を認識する認識手段と、
前記認識手段の認識結果に基いて前記各医用画像にどの部位が撮影されているかを示す部位情報を作成する部位情報作成手段と、
前記部位情報が示す部位と医師の所望する部位とが一致する前記医用画像を前記画像群の中から抽出する抽出手段と、
抽出した前記医用画像を指定された転送先に転送する転送手段とを有することを特徴とする画像転送装置。
【請求項１２】
複数枚の医用画像からなる画像群の中から医師の所望する部位が撮影された前記医用画像のみを転送する処理をコンピュータに実行させる画像転送プログラムにおいて、
前記各医用画像に撮影された部位を認識する認識ステップと、
前記認識ステップの認識結果に基いて前記各医用画像にどの部位が撮影されているかを示す部位情報を作成する部位情報作成ステップと、
前記部位情報が示す部位と医師の所望する部位とが一致する前記医用画像を前記画像群の中から抽出する抽出ステップと、
抽出した前記医用画像を指定された転送先に転送する転送ステップとを有することを特徴とする画像転送プログラム。
【発明の詳細な説明】
【技術分野】
【０００１】
本発明は、複数枚の医用画像からなる画像群の中から医師の所望する部位が撮影された医用画像のみを転送する画像転送方法、画像転送装置、及び画像転送プログラムに関する。
【背景技術】
【０００２】
診療所や病院などの医療施設には、ＣＲ（Computed Radiography）装置、ＣＴ（computed tomography：コンピュータ断層撮影）装置、ＭＲＩ（Magnetic Resonance Imaging：磁気共鳴映像）装置、ＰＥＴ（Positron Emission Tomography：ポジトロン断層撮影）装置、超音波診断装置などといった様々なモダリティが普及している。モダリティによって撮影された医用画像は、医師が患者を診断する際などに用いられ、患者の症状を決定する上で大きな役割を担っている。
【０００３】
従来、ＣＴ装置やＭＲＩ装置などで患者の断層画像を医用画像として撮影する際には、患者の症状に合わせて撮影する部位（頭部、胸部、腹部など）を予め医師が指定し、指定された部位の断層画像のみを撮影するようにしていた。ところが、このように部位を指定して撮影を行うと、オペレータの設定ミスなどによって、指定された部位と実際に撮影された部位との間に不整合が生じてしまうことがあった。このような不整合が生じると、撮影をやり直さなければならず、患者に手間をかけてしまうとともに、診断を遅らせてしまう要因にもなる。さらに、撮影モダリティがＣＴ装置など放射線を用いるものである場合には、患者に余計な放射線被曝を与えてしまうことにもなる。
【０００４】
このため、撮影の高速化や記録装置の大容量化などが進められている近年では、逐一部位を指定することなく患者の全身など広範囲の撮影を一度に行うようになってきている。患者の全身などを撮影すれば、取得した複数枚の断層画像の中に必ず医師の所望する部位が含まれるので、前述のような部位の不整合を確実に防止することができる。
【０００５】
ところで、全身などの広範囲の撮影では、膨大な枚数の断層画像が取得される。これらの各断層画像をフイルムで保管しようとすると、医療施設における保管スペースの確保や管理作業、及び検索作業などが大きな負担になってしまう。このような問題を解決するため、医療施設における各種の情報を電子化するようにしたシステムが、例えば、特許文献１などで知られている。このようなシステムでは、医療施設で撮影された医用画像を電子化してサーバに保管する。これにより、医療施設における医用画像の保管スペースを大幅に削減することができる。また、管理、検索作業をサーバに行わせることにより、医療施設の業務の効率化を図ることもできる。
【特許文献１】特開２００６−００６４４９号公報
【特許文献２】特開２００２−２５３５３９号公報
【発明の開示】
【発明が解決しようとする課題】
【０００６】
サーバは、医師が読影や患者への説明などを行う際に、保管した医用画像をビューワ用の端末などに転送する。ところが、全身などの広範囲の撮影によって取得された膨大な枚数の断層画像を転送しようとすると、転送に時間がかかってしまうという問題が生じる。医師にとって各断層画像の転送時間は単なる待ち時間であり、過大な待ち時間は不快感を与える要因になる。これを防止するため、特許文献１では、サーバに保管された医用画像のうち、予め設定された時間又はデータ量の分だけを送ることにより、医師の待ち時間を管理できるようにしている。
【０００７】
しかしながら、広範囲撮影で取得された各断層画像を特許文献１に記載された方法で転送しようとしても、時間又はデータ量で決められた各断層画像の中に医師の所望する部位を撮影した断層画像が必ずしも含まれているとは限らない。このため、所望の断層画像が含まれていない場合には、転送を繰り返さなければならないなど、操作が煩雑になるとともに、時間もかかってしまう。
【０００８】
また、広範囲撮影で取得された各断層画像をサーバから転送した場合、各断層画像の中から医師が所望する部位を探し出すのに手間がかかるという問題もある。これに関連する技術として、特許文献２には、医用画像の画像解析を行って医用画像にどの部位が撮影されているかを自動で識別する方法が記載されている。しかし、特許文献２に記載された方法は、各医用画像の識別を個々に行うものであり、複数枚の医用画像を総括的に処理することや、各医用画像を他の装置に転送することなどについては、何ら考慮がなされていない。
【０００９】
本発明は、上記課題を鑑みてなされたものであって、複数枚の医用画像の中から所望の部位が撮影された医用画像のみを効率良く転送することができる画像転送方法、画像転送装置、及び画像転送プログラムを提供することを目的とする。
【課題を解決するための手段】
【００１０】
上記課題を達成するため、複数枚の医用画像の中から医師の所望する部位が撮影された前記医用画像のみを転送する本発明の画像転送方法は、前記各医用画像に撮影された部位を認識する認識ステップと、前記認識ステップの認識結果に基いて前記各医用画像にどの部位が撮影されているかを示す部位情報を作成する部位情報作成ステップと、前記部位情報が示す部位と医師の所望する部位とが一致する前記医用画像を前記画像群の中から抽出する抽出ステップと、抽出した前記医用画像を指定された転送先に転送する転送ステップとを有することを特徴とする。
【００１１】
なお、前記画像群と前記部位情報とを記憶手段に保管する保管ステップと、前記転送先への転送が指示されたことに応じて前記記憶手段から前記画像群と前記部位情報とを読み出す読み出しステップとを、前記部位情報作成ステップと前記抽出ステップとの間に設けるようにしてもよい。
【００１２】
また、前記画像群を記憶手段に保管する保管ステップと、前記転送先への転送が指示されたことに応じて前記記憶手段から前記画像群を読み出す読み出しステップとを、前記認識ステップの前に設けるようにしてもよい。
【００１３】
さらに、前記転送ステップは、前記抽出ステップによって抽出された前記医用画像を転送した後、前記画像群の残りの前記医用画像を転送することが好ましい。
【００１４】
なお、前記抽出ステップによって抽出された前記医用画像を記憶手段に保管する保管ステップと、前記転送先への転送が指示されたことに応じて前記記憶手段から抽出された前記医用画像を読み出す読み出しステップとを、前記抽出ステップと前記転送ステップとの間に設けるようにしてもよい。
【００１５】
また、医師の所望する部位は、前記転送先への転送の指示と同時に入力されることが好ましい。また、医師の所望する部位は、前記画像群の撮影の際にオーダ情報として入力された検査部位であってもよい。
【００１６】
さらに、前記認識ステップは、前記各医用画像の画像解析を行うことによって、前記各医用画像に撮影された部位を自動で認識することが好ましい。
【００１７】
なお、前記部位情報作成ステップは、前記医用画像毎に前記部位情報を作成し、作成した前記部位情報をメタデータとして対応する前記医用画像に記録することが好ましい。
【００１８】
また、前記部位には、頭部、胸部、腹部、骨盤部、脚部などが含まれるとともに、脳、心臓、肺、肝臓、胃などの臓器が含まれることが好ましい。
【００１９】
なお、複数枚の医用画像からなる画像群の中から医師の所望する部位が撮影された前記医用画像のみを転送する本発明の画像転送装置は、前記各医用画像の画像解析を行うことによって前記各医用画像に撮影された部位を認識する認識手段と、前記認識手段の認識結果に基いて前記各医用画像にどの部位が撮影されているかを示す部位情報を作成する部位情報作成手段と、前記部位情報が示す部位と医師の所望する部位とが一致する前記医用画像を前記画像群の中から抽出する抽出手段と、抽出した前記医用画像を指定された転送先に転送する転送手段とを有することを特徴とする。
【００２０】
また、複数枚の医用画像からなる画像群の中から医師の所望する部位が撮影された前記医用画像のみを転送する処理をコンピュータに実行させる本発明の画像転送プログラムは、前記各医用画像に撮影された部位を認識する認識ステップと、前記認識ステップの認識結果に基いて前記各医用画像にどの部位が撮影されているかを示す部位情報を作成する部位情報作成ステップと、前記部位情報が示す部位と医師の所望する部位とが一致する前記医用画像を前記画像群の中から抽出する抽出ステップと、抽出した前記医用画像を指定された転送先に転送する転送ステップとを有することを特徴とする。
【発明の効果】
【００２１】
本発明では、各医用画像に撮影された部位を認識し、この認識結果に基いて各医用画像にどの部位が撮影されているかを示す部位情報を作成し、この部位情報が示す部位と医師の所望する部位とが一致する医用画像を画像群の中から抽出するようにしたので、医師の所望する部位が撮影された医用画像のみを効率よく転送することができる。これにより、医師に過大な待ち時間を与えてしまうことを抑えることができる。さらには、転送された複数の医用画像の中から所望の部位が撮影された医用画像を医師が探す手間を省くこともできる。
【発明を実施するための最良の形態】
【００２２】
図１は、医用ネットワークシステム１０の構成を概略的に示す説明図である。医用ネットワークシステム１０は、病院や診療所などといった複数の医療施設１２と、ネットワーク１６を介して各医療施設１２と接続されるデータセンタ（画像転送装置）１４とからなる。各医療施設１２は、通院する患者の情報や診断に際して取得される医用画像などといった種々の医療情報ＭＩを、ネットワーク１６を介してデータセンタ１４に送信する。データセンタ１４は、各医療施設１２から送られた医療情報ＭＩを保管するとともに、各医療施設１２からの要求に応じて保管した医療情報ＭＩを返信する。
【００２３】
このように、医用ネットワークシステム１０は、各医療施設１２で生じる医療情報ＭＩを電子データとしてデータセンタ１４が一括管理することにより、カルテや医用画像のフイルムなどの保管スペースを医療施設１２から削減するとともに、医療情報ＭＩの管理及び検索作業をデータセンタ１４が行うことにより、医療施設１２の業務の効率化を図る。また、医用ネットワークシステム１０は、各医療施設１２の医療情報ＭＩをデータセンタ１４を介して共有化することにより、各医療施設１２間の連携を強化する。
【００２４】
医療施設１２には、医療施設１２内の医療情報ＭＩを管理するクライアント端末２０と、患者の断層画像などを医用画像として撮影するＣＴ装置２２と、医用画像を含む各種の電子データを紙やフイルムなどに印刷するプリンタ２４と、医療施設１２をネットワーク１６に接続するためのネットワークインタフェース２６とが設けられている。また、これらの各機器は、医療施設１２内のローカルエリアネットワーク（ＬＡＮ）を介して互いに接続されている。
【００２５】
なお、図１では、クライアント端末２０とＣＴ装置２２とプリンタ２４とをそれぞれ１つずつ設けているが、これらの各機器は、医療施設１２内に複数設けられていてもよい。また、データセンタ１４に接続される各医療施設１２の構成は、上記に限定されるものではない。例えば、ＣＲ装置やＭＲＩ装置などの他のモダリティを有する医療施設１２や、これらのモダリティを持たない医療施設１２などがデータセンタ１４に接続されていてもよい。
【００２６】
クライアント端末２０は、例えば、医療施設１２の診察室内に配置される。このクライアント端末２０は、医師が患者に係る医療情報ＭＩを入力する際などに用いられる。医師は、例えば、患者と対面して診察を行いながら、クライアント端末２０を介して医療情報ＭＩの入力を行う。また、クライアント端末２０は、医師が診断結果を患者に説明する際に、ＣＴ装置２２で撮影された断層画像やデータセンタ１４から読み出された各医療情報ＭＩなどを表示し、診断結果の説明を支援する。
【００２７】
医師が入力する医療情報ＭＩには、例えば、患者情報、検査情報、診療情報などがある。患者情報は、各患者の個人情報を表すものであり、例えば、患者氏名、患者ＩＤ、現住所、生年月日、年齢、性別、家族構成、及び既往歴やアレルギーの有無などが含まれる。なお、患者ＩＤは、患者情報の入力時にクライアント端末２０によって自動的に発行される各患者固有の番号である。患者ＩＤは、例えば、医療施設１２毎に付与された４桁の医療施設番号に４桁の通し番号を加えた計８桁の番号で表され、各医療施設１２で患者ＩＤが重複しないようにされている。なお、患者ＩＤの発行方法、及び桁数などは、上記に限るものではなく、例えば、データセンタ１４から通し番号を発行するようにしてもよい。また、患者ＩＤは、数字のみに限ることなく、例えば、アルファベットなどの文字や記号などと組み合わせるようにしてもよい。
【００２８】
検査情報は、診断に際して撮影された医用画像などの情報であり、例えば、検査日付、検査機器、検査方法、検査部位などが含まれる。なお、検査方法とは、正面及び側面などの撮影に対する患者の向きや、造影剤の有無などである。また、検査部位とは、検査の対象となっている頭部、胸部、腹部、骨盤部、脚部、及びこれらの一部が重複した頭頸部や胸腹部などである。診療情報は、患者に対しての診療の情報であり、例えば、診療日付、診療科、傷病名、診断結果、治療期間、投薬の種類及び量、処方薬局名などが含まれる。なお、治療期間とは、同一傷病に関して医療施設１２に通院した期間である。
【００２９】
なお、患者情報は、クライアント端末２０に限ることなく、例えば、レセプト（診療報酬明細書）を作成、記録するレセプト・コンピュータ（図示は省略）などを介して入力されるようにしてもよい。また、検査情報も、クライアント端末２０に限ることなく、例えば、ＣＴ装置２２で撮影を行う際などに入力されるようにしてもよい。さらに、各情報は、それぞれ分けることなく、患者に対する１つの情報として集約するようにしてもよい。
【００３０】
ＣＴ装置２２は、クライアント端末２０から入力されるオーダ情報に基いて撮影を行い、患者の断層画像を取得する。なお、オーダ情報には、例えば、撮影検査する患者の患者情報や検査を依頼した医師の医師情報、及び検査を実施する日時などが含まれる。ここで、医師情報とは、医師の氏名や在籍する診療科、及び連絡先などの情報である。
【００３１】
ＣＴ装置２２は、例えば、図２に示すように、患者ＫＲの全身の撮影を行って、スライス厚などの設定に応じた複数枚の断層画像４０を一度の検査で取得する。取得された各断層画像４０は、検査毎にまとめられた状態でデータセンタ１４などに保管される。なお、これ以降では、一度の検査で取得された各断層画像４０の集合体を、ボリュームデータ４２と称す。
【００３２】
図２に示すように、各断層画像４０は、画像データ４４ａを記録する画像記録領域４４と、メタデータを記録するタグ領域４６とを有している。断層画像４０のタグ領域４６には、例えば、患者ＩＤ４６ａ、検査ＩＤ４６ｂ、部位情報４６ｃなどの各種の情報がメタデータとして記録される。患者ＩＤ４６ａは、どの患者ＫＲの断層画像４０であるかを識別する際などに用いられる。検査ＩＤ４６ｂは、例えば、検査毎に付与される固有の番号である。検査ＩＤ４６ｂは、どの検査時に撮影された断層画像４０であるかの識別を可能にし、各断層画像４０をボリュームデータ４２として管理する際などに用いられる。患者ＫＲの全身を撮影したボリュームデータ４２には、頭部から脚部までの各部位が撮影された断層画像４０が含まれる。部位情報４６ｃは、断層画像４０にどの部位が撮影されているかを示すものである。
【００３３】
これらの各メタデータは、例えば、断層画像４０の撮影の際に画像データ４４ａの作成と同時に記録されるか、あるいは、断層画像４０の撮影後にクライアント端末２０やデータセンタ１４などで記録される。なお、タグ領域４６に記録されるメタデータは、上記に限定されるものではなく、断層画像４０の識別などが可能であれば、他の如何なる情報が記録されていてもよい。また、このようなタグ領域４６を有する医用画像のファイル形式としては、例えば、ＤＩＣＯＭ（Digtal Imaging and Communications in Medicine）形式が知られている。
【００３４】
ネットワークインタフェース２６は、医療施設１２のＬＡＮに応じた形式とネットワーク１６に応じた形式とにデータを変換することにより、医療施設１２のＬＡＮとネットワーク１６とを接続する。このネットワークインタフェース２６は、例えば、モデムやルータなどであり、ネットワーク１６やＬＡＮの規格に準拠して適宜選択される。なお、ネットワーク１６は、例えば、専用回線や公衆電話交換網（ＰＳＴＮ）、及びインターネットなど、各医療施設１２とデータセンタ１４との相互通信が可能なものであれば、如何なるものでもよい。
【００３５】
データセンタ１４には、各医療施設１２との医療情報ＭＩの送受を制御するデータサーバ３０と、各医療施設１２から送られた医療情報ＭＩを記憶するストレージユニット（記憶手段）３２と、ネットワーク１６に接続するためのネットワークインタフェース（転送手段）３４とが設けられている。また、これらの各機器は、データセンタ１４内のＬＡＮを介して互いに接続されている。
【００３６】
データサーバ３０は、各医療施設１２から受信した医療情報ＭＩを、患者情報、検査情報、診療情報、医用画像などの各情報に仕分けてストレージユニット３２に保管する。また、データサーバ３０は、各医療施設１２からの要求に応じてストレージユニット３２から保管した各情報を読み出し、読み出した医療情報ＭＩを要求元の医療施設１２に送信する。さらに、データサーバ３０は、各医療施設１２と医療情報ＭＩの送受を行う際、例えば、医療施設番号や各医師に付与された医師ＩＤ番号、又は各クライアント端末２０に予め発行されたデジタル証明書などの照合を行い、データセンタ１４への不正なアクセスを防止する。
【００３７】
ストレージユニット３２は、いわゆるネットワーク対応型の記憶装置である。このストレージユニット３２は、例えば、ＤＶＤなどのメディアに記録する各種のドライブや、ハードディスクドライブ（ＨＤＤ）などによって構成される。なお、ストレージユニット３２は、１台に限ることなく、例えば、メイン用とバックアップ用などのように複数台設けるようにしてもよい。また、ストレージユニット３２は、例えば、保存する医療情報ＭＩの項目毎に設けられた複数のドライブの集合体などであってもよい。さらに、ストレージユニット３２は、ネットワーク対応型のものに限ることなく、例えば、データサーバ３０のＨＤＤなどであってもよい。
【００３８】
ストレージユニット３２には、患者情報データベース（ＤＢ）３２ａ、検査情報ＤＢ３２ｂ、診療情報ＤＢ３２ｃ、医用画像ＤＢ３２ｄなど、医療情報ＭＩの各項目に応じた複数のデータベースが構築されている。患者情報ＤＢ３２ａには、各医療施設１２から送られた患者情報が保管される。また、検査情報ＤＢ３２ｂ、診療情報ＤＢ３２ｃ、医用画像ＤＢ３２ｄには、同様に、各医療施設１２から送られた検査情報、診療情報、医用画像のそれぞれが保管される。
【００３９】
ネットワークインタフェース３４は、データセンタ１４のＬＡＮに応じた形式とネットワーク１６に応じた形式とにデータを変換することにより、データセンタ１４のＬＡＮとネットワーク１６とを接続する。このネットワークインタフェース３４は、例えば、モデムやルータなどであり、ネットワーク１６やＬＡＮの規格に準拠して適宜選択される。
【００４０】
図３は、クライアント端末２０の構成を概略的に示すブロック図である。クライアント端末２０は、周知のパーソナルコンピュータやワークステーションなどであり、ＣＰＵ５０と、メモリ５１と、ＨＤＤ５２と、モニタ５３と、入力機器５４と、ＬＡＮボード５５とを有している。また、これらの各部は、バス５６を介して互いに接続されている。ＨＤＤ５２には、医用ネットワークシステム１０に対応した種々のプログラムが記録されている。ＣＰＵ５０は、ＨＤＤ５２から各プログラムを読み出してメモリ５１に展開し、読み出したプログラムを逐次処理することによって、クライアント端末２０を統括的に制御する。
【００４１】
モニタ５３は、ＣＰＵ５０によるプログラムの各処理に応じて種々の操作画面を表示する。なお、モニタ５３には、例えば、液晶ディスプレイやＣＲＴディスプレイなどの周知の表示装置を用いればよい。入力機器５４は、例えば、キーボードやマウスなどによって構成され、クライアント端末２０に操作を指示したり、医療情報ＭＩを入力する際などに用いられる。ＬＡＮボード５５は、クライアント端末２０を医療施設１２のＬＡＮに接続する。ＬＡＮボード５５は、例えば、Ｅｔｈｅｒｎｅｔ（登録商標）など、ＬＡＮの規格に応じたものが適宜選択される。
【００４２】
図４は、データサーバ３０の構成を概略的に示すブロック図である。データサーバ３０は、周知のパーソナルコンピュータやワークステーションなどであり、ＣＰＵ（抽出手段）６０と、メモリ６１と、ＨＤＤ６２と、モニタ６３と、入力機器６４と、ＬＡＮボード６５と、部位認識部（認識手段、部位情報作成手段）６６とを有している。また、これらの各部は、バス６７を介して互いに接続されている。ＨＤＤ６２には、画像転送プログラム６２ａを含む種々のプログラムが記録されている。ＣＰＵ６０は、ＨＤＤ６２から各プログラムを読み出してメモリ６１に展開し、読み出したプログラムを逐次処理することによって、データサーバ３０を統括的に制御する。
【００４３】
モニタ６３、入力機器６４、及びＬＡＮボード６５は、クライアント端末２０に設けられたものと同様であるので、詳細な説明を省略する。モニタ６３と入力機器６４とは、例えば、データセンタ１４内の管理者が、ＨＤＤ６２に記録された各プログラムやストレージユニット３２に構築された各データベース３２ａ〜３２ｄの情報を更新したりする際などに用いられる。
【００４４】
部位認識部６６は、入力された医用画像の画像解析を行って、その画像にどの部位が撮影されているかを認識する。なお、部位認識部６６による画像解析は、例えば、各画素のＣＴ値を基に画像の特徴量を算出し、算出した特徴量を予め記憶された各部位の特徴量と比較してマッチングさせることにより行われる。
【００４５】
次に、図５に示すフローチャートを参照しながら、上記構成による医用ネットワークシステム１０の作用について説明する。ＣＴ装置２２は、クライアント端末２０から入力されたオーダ情報に基いて患者ＫＲの撮影を行い、患者ＫＲのボリュームデータ４２を取得する。この際、ＣＴ装置２２は、オーダ情報に基いてボリュームデータ４２に含まれる各断層画像４０のタグ領域４６に患者ＩＤ４６ａと検査ＩＤ４６ｂとを記録する。
【００４６】
ＣＴ装置２２で取得されたボリュームデータ４２は、ＣＴ装置２２からクライアント端末２０に送信され、クライアント端末２０のＨＤＤ５２に一時的に保管される。ＨＤＤ５２に一時保管されたボリュームデータ４２は、入力機器５４を介して入力されるユーザ（医師など）からの転送指示に応じてデータセンタ１４に転送される。この際、ＣＰＵ５０は、ボリュームデータ４２に医療施設番号などを付加してデータセンタ１４への転送を行う。なお、ボリュームデータ４２をデータセンタ１４に転送するタイミングは、ユーザからの転送指示に限ることなく、例えば、ＣＰＵ５０が定期的に転送するようにしてもよいし、データサーバ３０側が定期的に吸い上げるようにしてもよい。
【００４７】
データセンタ１４に転送されたボリュームデータ４２は、ネットワークインタフェース３４を介してデータサーバ３０に入力される。ボリュームデータ４２を受信したデータサーバ３０のＣＰＵ６０は、受信したボリュームデータ４２を部位認識部６６に送る。ボリュームデータ４２を受け取った部位認識部６６は、ボリュームデータ４２に含まれる各断層画像４０の画像解析を行い、各断層画像４０に撮影された部位の認識を行う。各断層画像４０の部位を認識した部位認識部６６は、各断層画像４０のタグ領域４６に部位情報４６ｃとして認識した部位を記録する。
【００４８】
各断層画像４０に部位情報４６ｃを記録した部位認識部６６は、そのボリュームデータ４２をストレージユニット３２に送り、ボリュームデータ４２を医用画像ＤＢ３２ｄに保管する。なお、複数枚の断層画像４０からなるボリュームデータ４２は、例えば、専用のフォルダやディレクトリなどに各断層画像４０をまとめて保管するなどして、ボリュームデータ４２の検索や管理を容易に行うことができるようにしておくことが好ましい。
【００４９】
ボリュームデータ４２の保管を確認したＣＰＵ６０は、ボリュームデータ４２に付加されていた医療施設番号を参照して転送元の医療施設１２に保管完了のメッセージを送信する。保管完了のメッセージを受信したクライアント端末２０のＣＰＵ５０は、モニタ５３に保管完了のメッセージに対応したメッセージボックスをポップアップ表示させ、転送したボリュームデータ４２がデータセンタ１４に保管されたことを医師などのユーザに通知する。
【００５０】
また、ＣＰＵ５０は、ユーザへの通知を行うとともに、ＨＤＤ５２に一時保管された送信済みのボリュームデータ４２を消去し、ＨＤＤ５２の記録容量が圧迫されることを防止する。なお、ＨＤＤ５２からボリュームデータ４２を消去するタイミングは、保管完了のメッセージの受信直後に限ることなく、例えば、一年などの所定の期間が経過した後に消去するようにしてもよいし、患者ＫＲの同一傷病に対する治療が完了した後に消去するようにしてもよい。
【００５１】
ボリュームデータ４２をデータセンタ１４に保管したユーザは、読影や患者ＫＲへの説明などの際にクライアント端末２０を介して転送要求をデータセンタ１４に送信し、保管したボリュームデータ４２の転送を指示する。転送要求は、例えば、患者ＩＤ、検査ＩＤ、所望の部位、医療施設番号などといった各種の情報によって構成される。ユーザは、これらの情報を入力機器５４で入力することにより、転送要求をデータセンタ１４に送信する。
【００５２】
なお、患者ＩＤや検査ＩＤは、例えば、患者情報や検査情報などを基に作成されるリストから所望の患者ＩＤ、検査ＩＤを選択することによって指定される。また、部位は、例えば、患者ＫＲの全身撮影によって生じる各部位のリストから所望の部位を選択することによって指定される。なお、転送要求に含まれる情報は、上記に限ることなく、他の情報などが含まれていても勿論よい。
【００５３】
クライアント端末２０から送信された転送要求は、ネットワーク１６とネットワークインタフェース３４とを介してデータサーバ３０に入力される。転送要求を受信したデータサーバ３０のＣＰＵ６０は、転送要求に含まれる患者ＩＤと検査ＩＤとを基に医用画像ＤＢ３２ｄを検索し、転送要求の患者ＩＤ、検査ＩＤと、各断層画像４０のタグ領域４６に記録された患者ＩＤ４６ａ、検査ＩＤ４６ｂとが一致するボリュームデータ４２を医用画像ＤＢ３２ｄから読み出す。
【００５４】
ボリュームデータ４２を読み出したＣＰＵ６０は、転送要求で指定された部位と各断層画像４０のタグ領域４６に記録された部位情報４６ｃとを照合させ、部位情報４６ｃが示す部位と転送要求で指定された部位とが一致する各断層画像４０をボリュームデータ４２の中から抽出する。各断層画像４０を抽出したＣＰＵ６０は、転送要求に含まれる医療施設番号を参照して要求元の医療施設１２を転送先に設定し、抽出した各断層画像４０の転送を開始する。
【００５５】
このように、転送要求の入力時に医師の所望する部位を入力させ、所望の部位が撮影された各断層画像４０のみを転送することで、転送による過大な待ち時間を医師に与えてしまうことを抑えることができるとともに、所望の部位が撮影された断層画像４０を医師が探す手間を省くこともできる。
【００５６】
なお、上記実施形態では、データセンタ１４がボリュームデータ４２を受信した後、すぐに部位認識を行うようにしているが、部位認識を実施するタイミングは、上記に限るものではない。例えば、受信したボリュームデータ４２を一度医用画像ＤＢ３２ｄに保管し、データサーバ３０のＣＰＵ６０の処理負荷が低いとき（例えば深夜など）に、医用画像ＤＢ３２ｄから読み出して部位認識を行うようにしてもよい。
【００５７】
さらには、図６に示すフローチャートのように、ユーザからの転送要求に応じて医用画像ＤＢ３２ｄからボリュームデータ４２を読み出した後に、各断層画像４０の部位認識を行うようにしてもよい。図６のフローチャートでは、医用画像ＤＢ３２ｄからボリュームデータ４２を読み出した後、各断層画像４０のタグ領域４６に部位情報４６ｃが記録されているか否かを確認するようにしている。
【００５８】
部位情報４６ｃが記録されていない場合、ＣＰＵ６０は、ボリュームデータ４２を部位認識部６６に送り、各断層画像４０の部位認識と部位情報４６ｃの記録とを行わせる。部位情報４６ｃの記録を行わせたＣＰＵ６０は、転送要求で指定された部位と各断層画像４０のタグ領域４６に記録された部位情報４６ｃとを照合させ、部位情報４６ｃが示す部位と転送要求で指定された部位とが一致する各断層画像４０をボリュームデータ４２の中から抽出する。一方、既に部位情報４６ｃが記録されている場合、ＣＰＵ６０は、ボリュームデータ４２を部位認識部６６に送ることなく抽出の処理を開始する。各断層画像４０を抽出したＣＰＵ６０は、転送要求に含まれる医療施設番号を参照して要求元の医療施設１２に抽出した各断層画像４０を転送する。
【００５９】
このように、ユーザからの転送要求に応じて医用画像ＤＢ３２ｄからボリュームデータ４２を読み出した後に、各断層画像４０の部位認識を行うようにしても、図５のフローチャートに示す例と同等の効果を得ることができる。但し、図６のフローチャートに示す例では、部位情報４６ｃが記録されていない場合、部位認識の処理などに時間がかかってしまうことが懸念される。つまり、図５の例などのように、転送要求を受ける前に予め部位認識を行うようにしておいた方が、より医師の待ち時間を短縮することができ、効率的である。
【００６０】
また、上記実施形態では、データセンタ１４側で部位認識を行うようにしているが、これに限ることなく、部位認識部６６をクライアント端末２０やＣＴ装置２２に設けることにより、図７のフローチャートに示すように、データセンタ１４に送信する前に、医療施設１２側で各断層画像４０の部位認識と、部位情報４６ｃの記録とを行うようにしてもよい。
【００６１】
さらに、上記各実施形態では、ボリュームデータ４２に含まれる各断層画像４０のうち、部位情報４６ｃが示す部位と転送要求で指定された部位とが一致する各断層画像４０のみを転送するようにしているが、一致する各断層画像４０を転送した後、ボリュームデータ４２の残りの各断層画像４０を転送するようにしてもよい。なお、この際には、一致する各断層画像４０を転送し終えた時点でユーザに通知などを行い、残りの各断層画像４０は、優先的に転送された各断層画像４０に基づく医師の診断などと平行して転送される（いわゆる、バックグラウンド処理）ことが好ましい。
【００６２】
ところで、ＣＴ装置２２などで撮影を行う場合には、オーダ情報に医師の所望する部位を検査部位として含めるのが一般的である。上記各実施形態では、ボリュームデータ４２の転送を指示する転送要求に所望の部位を含めるようにしているが、これに限ることなく、検査情報や医用画像のタグ領域などに記録された検査部位を医師の所望する部位として用いるようにしてもよい。
【００６３】
なお、検査部位を用いる場合には、図８のフローチャートに示すように、抽出した各断層画像４０のみをデータセンタ１４に保管するようにしてもよい。図８のフローチャートでは、ボリュームデータ４２を取得した後に、クライアント端末２０などでボリュームデータ４２に含まれる各断層画像４０の部位認識を行うようにしている。各断層画像４０の部位を認識したクライアント端末２０のＣＰＵ５０は、各断層画像４０のタグ領域４６に部位情報４６ｃとして認識した部位を記録する。部位情報４６ｃを記録したＣＰＵ５０は、検査情報ＤＢ３２ｂに記録された当該検査の検査情報、あるいは各断層画像４０のタグ領域４６を参照し、ボリュームデータ４２の撮影時にオーダ情報として設定された検査部位を読み出す。
【００６４】
検査部位を読み出したＣＰＵ５０は、検査部位と各断層画像４０のタグ領域４６に記録された部位情報４６ｃとを照合させ、部位情報４６ｃが示す部位と検査部位とが一致する各断層画像４０をボリュームデータ４２の中から抽出する。各断層画像４０を抽出したＣＰＵ５０は、ユーザからの転送指示などに応じて抽出した各断層画像４０をデータセンタ１４に転送し、医用画像ＤＢ３２ｄに保管する。このように、患者ＫＲの全身を撮影した後、オーダ情報の検査部位に対応する部分だけを保管するようにしても、オーダ情報との不整合を防止し、かつ過大な待ち時間の防止と所望の画像を探す手間の省略とを図ることができる。
【００６５】
なお、上記各実施形態では、断層画像４０のタグ領域４６にメタデータとして保護情報４６ｃを記録するようにしているが、これにに限ることなく、例えば、断層画像４０と部位とを対応付けた表形式のファイルなどに保護情報４６ｃをまとめて記録するようにしてもよい。
【００６６】
また、上記各実施形態では、ＣＴ装置２２で撮影された複数枚の断層画像４０からなるボリュームデータ４２を画像群として示しているが、画像群は、これに限ることなく、例えば、ＣＲ装置やＭＲＩ装置で撮影されたものなど、撮影された部位の異なる複数枚の医用画像からなるものであれば、他の如何なるモダリティによるものであってもよい。
【００６７】
さらに、上記各実施形態では、医用画像に撮影された部位の認識を画像解析によって自動的に行うようにしているが、これに限ることなく、部位認識は、医師などが目視で行うものとしてもよい。また、目視によって部位認識を行った場合などには、医師などが手入力によって部位情報４６ｃの記録を行うようにしてもよい。
【００６８】
なお、上記各実施形態では、部位認識によって認識される部位を、頭部、胸部、腹部、骨盤部、脚部などとして説明しているが、これに限ることなく、例えば、脳、心臓、肺、肝臓、胃などの臓器を認識する部位に含めるようにしてもよい。また、上記各実施形態では、患者ＫＲの全身を撮影する場合を例に説明しているが、本発明は、これに限ることなく、複数の部位を含むものであれば、患者ＫＲの一部分を撮影するものであってもよい。
【００６９】
また、上記各実施形態では、複数の医療施設１２とデータセンタ１４とからなる医用ネットワークシステム１０に本発明を適用した例を示したが、本発明は、これに限ることなく、例えば、１つの医療施設内に設置された複数のクライアント端末とデータサーバとからなるシステムなどに適用してもよい。
【図面の簡単な説明】
【００７０】
【図１】医用ネットワークシステムの構成を概略的に示す説明図である。
【図２】ボリュームデータと各断層画像との構成を概略的に示す説明図である。
【図３】クライアント端末の構成を概略的に説明するブロック図である。
【図４】データサーバの構成を概略的に説明するブロック図である。
【図５】医用ネットワークシステムの動作を概略的に示すフローチャートである。
【図６】転送指示を受信した後に部位認識を行う例を示すフローチャートである。
【図７】医療施設側で部位認識を行う例を示すフローチャートである。
【図８】抽出した各断層画像だけを保管する例を示すフローチャートである。
【符号の説明】
【００７１】
１０  医用ネットワークシステム
１２  医療施設
１４  データセンタ（画像転送装置）
１６  ネットワーク
２０  クライアント端末
２２  ＣＴ装置
３０  データサーバ
３２  ストレージユニット（記憶手段）
３４  ネットワークインタフェース（転送手段）
４０  断層画像（医用画像）
４２  ボリュームデータ（画像群）
４６  タグ領域
４６ｃ  部位情報
６０  ＣＰＵ（抽出手段）
６６  部位認識部（認識手段、部位情報作成手段）
【図１】
2008036262.tif 000003
【図２】
2008036262.tif 000004
【図３】
2008036262.tif 000005
【図４】
2008036262.tif 000006
【図５】
2008036262.tif 000007
【図６】
2008036262.tif 000008
【図７】
2008036262.tif 000009
【図８】
2008036262.tif 000010